(57)【特許請求の範囲】
【請求項１】
冊子の製造方法であって、
ロール紙の長手方向に沿ったライン状の綴じ部で糊付けして貼り合せられた複数のロール紙を、冊子の１ページの大きさに切断する工程により冊子を製造し、
前記複数のロール紙では、前記綴じ部の方向に沿ったミシン目が前記綴じ部の近傍に形成され、
少なくとも一つのロール紙では、前記綴じ部と略直交する方向の切込みが、前記切込みの前記綴じ部側の先端が前記ミシン目を越えて前記ミシン目と前記綴じ部の間に位置するように設けられ、
前記冊子は、前記綴じ部側の先端が前記ミシン目を越えて前記ミシン目と前記綴じ部の間に位置する前記切込みによって分割された複数の部分を有するページを含む複数のページが、前記綴じ部によって綴じられたものであることを特徴とする冊子の製造方法。
【発明の詳細な説明】
【技術分野】
【０００１】
本発明は、冊子及び冊子の製造方法に関する。
【背景技術】
【０００２】
ページが分割され、その分割された部分を独立にめくることができるモンタージュ調の冊子が従来から知られており、その特徴を生かして様々な用途に用いられている。
【０００３】
例えば特許文献１には、２つの部分に分割されたページがバインダー式の綴り具で綴られた洋服生地の見本帳が開示されており、２つの部分に設けた生地見本を自由に組み合わせてこれらの調和の検討が行える。また特許文献２には、３つの部分に分割されたページがバインダー金具で綴じられたマニュアル冊子が開示されており、３つの部分に記載された複数種類の解説をそれぞれ自由にめくりながら操作等の理解ができる。
【０００４】
特許文献３には、ページをミシン目で切り離して２つの部分に分割し、これらの部分を独立にめくれるようにして各部分に印刷された静止画を自由に組み合わせて観賞できる書籍が記載されている。また特許文献４には、２つの部分に分割したページをコイルスプリングを用いて綴じ各部分を独立にめくれるようにし、各部分に問題と解答等をそれぞれ印刷したものが開示されている。
【０００５】
特許文献５には、輪転印刷物を折りたたんだ状態で切れ目をいれ、製本工程で針金や接着材で綴じることでページが分割された冊子を製造する方法が記載されている。また特許文献６には、２つの部分に分割したページを金属リング等の綴じ具によって綴じたヘアスタイルガイドブックが記載されており、各部分を独立にめくることでヘアスタイルを組み合わせることができる。
【先行技術文献】
【特許文献】
【０００６】
【特許文献１】実公昭46-13205号公報
【特許文献２】特開2003-276360号公報
【特許文献３】特開2011-224898号公報
【特許文献４】特開平10-138661号公報
【特許文献５】特開平11-170729号公報
【特許文献６】実開平3-5179号公報
【発明の概要】
【発明が解決しようとする課題】
【０００７】
これらの冊子はリングや針金などの金具を用いて綴じるものが多いが、製造方法が複雑になるという欠点があった。接着材等を用いて綴じるものもあるが、その場合は冊子を見開きで開きにくくなるという欠点があった。
【０００８】
本発明は上記の問題に鑑みてなされたものであり、容易に製造でき、且つ開き易いモンタージュ調の冊子を提供することを目的とする。
【課題を解決するための手段】
【０００９】
前述した課題を解決するための本発明は、冊子の製造方法であって、ロール紙の長手方向に沿ったライン状の綴じ部で糊付けして貼り合せられた複数のロール紙を、冊子の１ページの大きさに切断する工程により冊子を製造し、前記複数のロール紙では、前記綴じ部の方向に沿ったミシン目が前記綴じ部の近傍に形成され、少なくとも一つのロール紙では、前記綴じ部と略直交する方向の切込みが、前記切込みの前記綴じ部側の先端が前記ミシン目を越えて前記ミシン目と前記綴じ部の間に位置するように設けられ、前記冊子は、前記綴じ部側の先端が前記ミシン目を越えて前記ミシン目と前記綴じ部の間に位置する前記切込みによって分割された複数の部分を有するページを含む複数のページが、前記綴じ部によって綴じられたものであることを特徴とする冊子の製造方法である。
【００１０】
本発明のモンタージュ調の冊子は糊付けして綴じるので、製本に金具が不要であり、製造工程において糊付けを行い綴じる作業を連続的に行うことで容易に製造できる。また綴じ部の近傍の折り目となるところにミシン目を入れておくことで、開き易い冊子となる。また、ページを分割した部分はミシン目に沿って切るだけで簡便に切離すことができ、金券や商品券、クーポン券などとして用いることができる。さらに、ページを分割する切込みは、ミシン目を越えるように設けておくことで、製造工程で切込みの形成位置にばらつきがあっても、その先端をミシン目に確実に達するようにでき、ページを分割した部分をきれいに切離すことができる。
【００１１】
前記冊子において、前記分割されたページは、前記ページと同程度の大きさの分割されないページの内側で綴じられていることが望ましい。
このように、分割されたページを分割されないページの内側で綴じることで、分割されたページを当該分割されないページによって保護することができる。
【００１２】
前記ページを分割した部分の少なくともいずれかは、略平行な複数の画線を所定の間隔で配列して構成される背景部と、略平行な複数の画線を前記背景部の画線の長さ方向に沿って所定の間隔で配置してなる列を、前記背景部の画線の配列方向に沿って所定の間隔で複数配列して構成される潜像部と、を有し、背景部の画線の面積率Abを、当該画線の太さW1、及び当該画線の間隔Dを用いてW1/Dとし、潜像部の画線の面積率Alを、当該画線の太さW2、当該画線の長さH、前記列の間隔DH、及び前記列における当該画線の間隔DLを用いて(W2・H)/(DH・DL)としたときに、潜像部の画線の面積率Alを背景部の画線の面積率Abで割った値Rが、1.11程度以上且つ1.33程度以下となることが望ましい。
これにより、ページを分割した部分を切離して金券や商品券、クーポン券などとして用いる場合に、当該部分に、複写時にはじめて判別可能に現れる潜像部による偽造防止技術を施すことができる。且つ当該部分を目視した場合には、背景部と潜像部が一様に見えて体裁も良い。
【００１３】
また本発明の冊子の製造方法により、ロール紙を用いて前記の冊子を容易に製造することができる。
【発明の効果】
【００１４】
本発明により、容易に製造でき、且つ開き易いモンタージュ調の冊子を提供することができる。
【図面の簡単な説明】
【００１５】
【図１】冊子１０を示す図。
【図２】通常ページ部１１０、分割ページ部１２０におけるページの平面構成を示す図。
【図３】製造装置２０の例を示す図。
【図４】ロール紙１１、１２の例を示す図。
【図５】冊子１０の製造工程について説明する図。
【図６】ロール紙１２の切断線２５０、２６０を示す図。
【図７】ページ１２１を分割した部分１２２とその複写物１２２’を示す図。
【図８】背景部１６０と潜像部１７０を示す図。
【図９】印刷物Ａ〜Ｎについて、背景部１６０の画線１６１の太さW1、潜像部１７０の画線１７１の長さH、潜像部１７０の画線１７１の面積率Alと背景部１６０の画線１６１の面積率Abの比の値R(=Al/Ab)等を示す図。
【図１０】OCR用紙に印刷を行った印刷物Ｃ〜Ｎを示す図。
【図１１】コート紙に印刷を行った印刷物Ｃ〜Ｎを示す図。
【図１２】上質紙に印刷を行った印刷物Ｃ〜Ｎを示す図。
【図１３】富士ゼロックス株式会社製のApeosPort-VC7780（複写機I）によって複写を行った印刷物Ｃ〜Ｎの複写物を示す図。
【図１４】キヤノン株式会社製のiR ADV 5255（複写機II）によって複写を行った印刷物Ｃ〜Ｎの複写物を示す図。
【図１５】キヤノン株式会社製のiR ADV 7065（複写機III）によって複写を行った印刷物Ｃ〜Ｎの複写物を示す図。
【発明を実施するための形態】
【００１６】
以下、図面に基づいて本発明の好適な実施形態について詳細に説明する。
【００１７】
［第１の実施形態］
（１．冊子１０）
図１は本発明の実施形態に係る冊子１０を示す図である。この冊子１０は、複数のページを綴じ部１３０で糊付けして綴じることで形成される。これらのページは、綴じ部１３０の近傍に設けたミシン目１４０で折って左右に見開きで開くことができる。
【００１８】
冊子１０のページは、通常ページ部１１０と分割ページ部１２０に分けることができる。
【００１９】
通常ページ部１１０は、１ページ当たり１枚の用紙で構成される部分であり、表紙や裏表紙なども含まれる。
【００２０】
分割ページ部１２０は、冊子１０において通常ページ部１１０の内側に綴じられる。分割ページ部１２０では、通常ページ部１１０と同程度の大きさの１ページが複数の部分１２２に分割されており、それぞれの部分１２２を独立にめくることができる。図の例では、１つのページが３つの部分１２２に均等幅で分割されているが、これに限らない。分割ページ部１２０のページは２以上に分割されていればよく、また均等幅に分割されていなくてもよい。
【００２１】
各部分１２２に印刷する内容は冊子１０の目的に応じたものとでき、特に限定されない。本実施形態では、少なくとも一つの部分１２２を、金券や商品券、クーポン券などを印刷したものとする。
【００２２】
本実施形態では、３ページ分の分割ページ部１２０の表裏それぞれに２ページ分の通常ページ部１１０を貼り合せて綴じ、冊子１０を形成している。このように分割ページ部１２０を通常ページ部１１０の分割されないページの内側で綴じることで、分割ページ部１２０の分割されたページを保護できる。
【００２３】
図２は、冊子１０を通常ページ部１１０と分割ページ部１２０に分解した斜視図によって、通常ページ部１１０のページ１１１と分割ページ部１２０のページ１２１の平面構成を示したものである。図において左側は冊子１０の背側に対応し、右側は冊子１０の小口側に対応する。
【００２４】
通常ページ部１１０の各ページ１１１及び分割ページ部１２０の各ページ１２１には、冊子１０の背に対応する一辺に沿ってライン状の綴じ部１３０が設定される。この綴じ部１３０に糊付けされた接着材等によって、通常ページ部１１０の各ページ１１１と分割ページ部１２０の各ページ１２１が冊子１０として綴じられる。
【００２５】
なお、図２の綴じ部１３０は説明の都合上ページ１１１（１２１）の表側に示しているが、実際には冊子１０の構成や製造工程に応じて各ページ１１１（１２１）の表側あるいは裏側において当該綴じ部１３０の領域に糊付けが行われる。これは後述する図５、６においても同様である。
【００２６】
ページ１１１、１２１の前記一辺と反対側にある他辺は冊子１０の小口に対応する。綴じ部１３０の当該他辺側の近傍では、綴じ部１３０の方向に沿って上下にミシン目１４０が設けられている。
【００２７】
分割ページ部１２０では、ページ１２１が切込み１５０によって上下３つの部分１２２に分割される。この切込み１５０は、ページ１２１の前記他辺から綴じ部１３０と略直交する方向に設けられ、その綴じ部１３０側の先端がミシン目１４０を越えてミシン目１４０と綴じ部１３０の間の位置まで達している。
【００２８】
ページ１２１の各部分１２２は、必要に応じてミシン目１４０に沿って切離すことができる。本実施形態では、ページ１２１を分割した部分１２２をミシン目１４０によって切離し、当該部分１２２を金券、商品券、クーポン券などとして用いることができる。
【００２９】
（２．冊子１０の製造方法）
次に、冊子１０の製造方法について説明する。図３は冊子１０を製造するのに用いる製造装置２０の例を模式的に示す図である。製造装置２０は、ロール２１ａ〜２１ｇから繰り出したロール紙１１、１２を搬送しつつ、インラインで後述する加工を施すことで冊子１０を製造するものである。
【００３０】
図４（ａ）はロール紙１１の例である。このロール紙１１は、冊子１０における通常ページ部１１０のページ１１１を形成するためのものである。本実施形態では、ロール紙１１に予めページ１１１の画像が印刷され、画像の印刷時に併せてミシン目１４０も形成している。ページ１１１の画像はロール紙１１の長手方向（製造装置２０におけるロール紙１１の搬送方向に対応する）に沿って並ぶように複数印刷される。
【００３１】
ロール紙１１の長手方向と直交する幅方向の一方の側部では、後述する工程によって糊付けを行い冊子１０を綴じるための綴じ部１３０がロール紙１１の長手方向に沿ってライン状に設定される。ミシン目１４０は、この綴じ部１３０の近傍において、綴じ部１３０の方向に沿って形成される。
【００３２】
本実施形態では、冊子１０において分割ページ部１２０の表側にある通常ページ部１１０の２ページ分のロール紙１１と、分割ページ部１２０の裏側にある通常ページ部１１０の２ページ分のロール紙１１が予め用意される。これらのロール紙１１は、ページ順を考慮して製造装置２０の後段（図３の右側に対応する）のロール２１ｄ〜２１ｇにそれぞれ巻きつけられる。
【００３３】
図４（ｂ）はロール紙１２の例である。このロール紙１２は、冊子１０における分割ページ部１２０のページ１２１を形成するためのものである。本実施形態では、ロール紙１２に予めページ１２１の各部分１２２の画像が印刷され、画像の印刷時に併せてミシン目１４０も形成している。
【００３４】
ページ１２１の各部分１２２の画像は、ロール紙１２の長手方向（製造装置２０におけるロール紙１２の搬送方向に対応する）に沿って並ぶように複数印刷されている。
【００３５】
前記と同様、ロール紙１２の幅方向の一方の側部では、後述する工程によって糊付けを行い冊子１０を綴じるための綴じ部１３０がロール紙１２の長手方向に沿ってライン状に設定される。ミシン目１４０は、この綴じ部１３０の近傍において、綴じ部１３０の方向に沿って形成される。
【００３６】
本実施形態では、分割ページ部１２０の３ページ分のロール紙１２が予め用意される。これらのロール紙１２は、ページ順を考慮して製造装置２０の前段（図３の左側に対応する）のロール２１ａ〜２１ｃにそれぞれ巻きつけられる。
【００３７】
図３に示す製造装置２０では、まず、ロール２１ａから繰り出したロール紙１２の綴じ部１３０に、塗布部２７によって接着材を塗布し、糊付けを行う。
【００３８】
このロール紙１２は、ロール２１ｂから繰り出されたロール紙１２と上下一対のローラー２２ａによって重ね合わされ、接着材により貼り合わされる。この時、ミシン目１４０及びページ１２１の各部分１２２の位置は両ロール紙１２で対応している。
【００３９】
これら貼り合わされたロール紙１２は、上記と同様の方法で、ロール２１ｃから繰り出されたロール紙１２と上下一対のローラー２２ｂによってさらに貼り合わされる。
【００４０】
こうして貼り合わされた３枚のロール紙１２は、カッター２３によって切込まれる。カッター２３は、綴じ部１３０と略直交する方向の切込み１５０を、その綴じ部１３０側の先端がミシン目１４０を越えてミシン目１４０と綴じ部１３０の間の位置に達するように形成する。この状態を図５（ａ）に示す。切込み１５０は、１つのページ１２１を３つの部分１２２に分割する箇所に形成される。
【００４１】
製造装置２０は、この後、貼り合わされたロール紙１２の表裏両面の綴じ部１３０に、塗布部２７によって接着材を塗布し、糊付けを行う。
【００４２】
そして、ロール２１ｄから繰り出されたロール紙１１をロール紙１２の表側に重ねるとともに、ロール２１ｅから繰り出されたロール紙１１をロール紙１２の裏側に重ね、上下一対のローラー２２ｃによりこれらのロール紙１１、１２を貼り合わせる。この時、ロール紙１１、１２のミシン目１４０やページ１１１、１２１の位置は対応している。
【００４３】
以下、上記と同様の方法でロール２１ｆ、２１ｇから繰り出されたロール紙１１を上下一対のローラー２２ｄによってさらに貼り合わせた後、カッター２５によってロール紙１１、１２の幅方向の両側部の図５（ｂ）に示す切断線２５０を切断し、冊子１０に不要な部分を切離す。
【００４４】
最後に、カッター２６によって図５（ｃ）に示す切断線２６０を切断し、複数のロール紙１１、１２を冊子１０の１ページ分の大きさに切断することで、前記した冊子１０が製造される。
【００４５】
なお、図５（ｂ）、（ｃ）ではロール紙１１における切断線２５０、２６０の位置が示されているが、その下のロール紙１２における切断線２５０、２６０の位置を示すとそれぞれ図６（ａ）、（ｂ）のようになる。
【００４６】
この冊子１０は、冊子１０を綴じるためにリングや針金等の金具が不要なので容易に製造でき、ページ１２１の分割も糊付け、貼り合せ等の工程と連続して製本時にできるので工程負荷が少ない。
【００４７】
以上説明したように、本実施形態のモンタージュ調の冊子１０は糊付けして綴じるので、製本に金具が不要であり、製造工程において糊付けを行い綴じる作業を連続的に行うことで容易に製造できる。また綴じ部１３０の近傍の折り目となるところにミシン目１４０を入れておくことで、開き易い冊子となる。また、ページ１２１を分割した部分１２２はミシン目１４０に沿って切るだけで簡便に切離すことができ、金券や商品券、クーポン券などとして用いることができる。さらに、ページ１２１を分割する切込み１５０は、ミシン目１４０を越えるように設けておくことで、製造工程で切込み１５０の形成位置にばらつきがあっても、その先端をミシン目１４０に確実に達するようにでき、ページ１２１を分割した部分１２２をきれいに切離すことができる。
【００４８】
その他、本実施形態の冊子１０はリングや針金等の金具を用いないのでリサイクルもしやすく、環境面でも好ましい。さらに、冊子１０を薄厚とでき封筒にいれて郵送することも可能である。また雑誌の付録などとしても利用できる。
【００４９】
さらに、本実施形態では分割ページ部１２０を通常ページ部１１０の内側で綴じることで、分割ページ部１２０を通常ページ部１１０により保護することができる。
【００５０】
また、前記した製造方法により、ロール紙１１、１２を用いて容易に冊子１０を製造でき、帳票などの印刷を行う従来のビジネスフォーム用の製造ラインを適用することも可能である。
【００５１】
しかしながら、本発明はこれに限らない。例えば冊子１０の通常ページ部１１０や分割ページ部１２０のページ数は前記したものに限らず、少なくとも１ページ分の分割ページ部１２０を含む複数のページから構成されていればよい。分割ページ部１２０のみで冊子を形成することも可能である。
【００５２】
冊子１０の形態の違いに応じて製造工程も変化し、例えば本実施形態ではロール紙１２を別のロール紙１２と貼り合せた後、カッター２３により切込み１５０を形成しているが、分割ページ部１２０を１ページ分のみとする場合は、ロール紙１２にカッター２３によって切込み１５０を形成した後、別のロール紙１１と貼り合せるような手順となる。また本実施形態では、予めミシン目１４０を形成したロール紙１１、１２を用いて冊子１０を製造しているが、上記説明した製造工程の途中でミシン目１４０をロール紙１１、１２に形成することも可能である。
【００５３】
また、冊子１０の用途としては、前記したように分割ページ部１２０のページ１２１の部分１２２を金券や商品券、クーポン券などとするほか、当該部分１２２を切り取って使用可能なカレンダーなどとすることもできる。また各部分１２２に飲食店の主菜や副菜などのメニューを印刷してこれらの組み合わせを自由に検討できるメニューカタログとして用いたり、各部分１２２に洋服の上下それぞれの部分を印刷し、これらの組み合わせを検討できるファッションコーディネート用冊子として用いることもできる。また、各部分１２２に顔の上下の表情などの静止画を印刷して絵合わせにより様々な表情が楽しめる絵合わせ用の冊子として用いることもでき、各部分１２２に問題やその解答、解説など印刷した学習用冊子などとして用いることも可能である。
【００５４】
［第２の実施形態］
前記した通り、本発明に係る冊子１０ではページ１２１を分割した部分１２２を切り離して金券、商品券、クーポン券などとして用いることができるが、このようなケースではこれらの部分１２２に偽造防止技術を施すことも可能である。
【００５５】
そこで、第２の実施形態では、ページ１２１を分割した部分１２２の少なくともいずれかに、特許第5692663号に記載されているような潜像を用いた偽造防止技術を施すものとし、図７（ａ）に示すように、潜像部１７０と、潜像部１７０の周囲の部分である背景部１６０を当該部分１２２に印刷して形成する。図示は省略しているが、当該部分１２２には金券、商品券、クーポン券等に応じた印刷絵柄も形成される。
【００５６】
潜像部１７０は、印刷物（ページ１２１を分割した部分１２２）においては背景部１６０と一様に見えて判別がつかないが、複写時に初めて背景部１６０と判別可能に現れる領域である。図７（ａ）では説明の都合上、潜像部１７０を点線で示している。
【００５７】
当該部分１２２を複写すると、図７（ｂ）に示すように、複写物１２２’において潜像部１７０が背景部１６０よりも低い濃度となる。このように複写物１２２’において潜像部１７０が薄くなり判別可能に現れることにより、それが複写物１２２’（偽物）であることがわかり、以て複写が牽制されて偽造防止効果を奏する。
【００５８】
図８は背景部１６０と潜像部１７０を拡大して示す図である。図に示すように、背景部１６０は、略平行な複数の画線１６１を所定の間隔Dで等間隔に配列して万線状に構成される。背景部１６０では、画線１６１の太さW1や間隔Dなどが一定値以上の十分な大きさである等の要因により、複写機で画線１６１が再現可能となっている。
【００５９】
なお、背景部１６０の各画線１６１の太さW1は同じである。画線１６１の太さW1は画線１６１の短辺方向の幅を指し、当該短辺方向と平面において略直交する画線１６１の長辺方向は画線１６１の長さ方向というものとする。画線１６１の間隔Dは画線１６１の中心線同士の間隔とする。これらは潜像部１７０の画線１７１についても同様である。
【００６０】
潜像部１７０は、略平行な複数の画線１７１を背景部１６０の画線１６１の長さ方向に沿って所定の間隔DLで等間隔に配置して列１７２を形成するとともに、この列１７２を、背景部１６０の画線１６１の配列方向に沿って所定の間隔DHで等間隔に複数配列して構成される。背景部１６０の画線１６１の配列方向とは、画線１６１の長さ方向と平面において略直交する方向である。
【００６１】
潜像部１７０の画線１７１は背景部１６０の画線１６１と平面において略直交し、潜像部１７０の画線１７１の列１７２は、背景部１６０の画線１６１の延長上に沿って形成される。潜像部１７０の画線１７１は、その間隔DLなどが所定値未満であり複写機のスキャナやプリンタの解像性能を超える等の要因により、複写機で完全に再現することが不可能となっている。
【００６２】
なお、潜像部１７０の各画線１７１の太さW2や長さHは同じであり、画線１７１は画線１６１と同色のインキにより形成される。また、潜像部１７０における列１７２の間隔DHは、各列１７２の画線１７１の長さ方向の中心部同士の間隔である。当該中心部は背景部１６０の画線１６１の中心線の延長上にあり、従って間隔DHは画線１６１の間隔Dと同じ値となる。
【００６３】
このような印刷物については、複写物１２２’において潜像部１７０が判別可能となることが重要であるが、体裁の良さを考慮すれば、印刷物において背景部１６０と潜像部１７０が一様に見えて目視で判別できないことも重要である。
【００６４】
そのためには背景部１６０の画線１６１の面積率と潜像部１７０の画線１７１の面積率を同じとすることが通常考えられるが、本発明者が鋭意検討したところ、背景部１６０と潜像部１７０の画線１６１、１７１の面積率を同じとした場合よりも、これらの面積率が同じではない所定の条件となる場合のほうが印刷物において背景部１６０と潜像部１７０が判別しにくく、より好ましいという知見が得られた。
【００６５】
すなわち、本実施形態では上記した所定の条件として、背景部１６０の画線１６１の面積率Abを、画線１６１の太さW1及び間隔Dを用いてW1/Dとし、潜像部１７０の画線１７１の面積率Alを、画線１７１の太さW2、画線１７１の長さH、列１７２の間隔DH、及び列１７２における画線１７１の間隔DLを用いて(W2・H)/(DH・DL)としたときに、潜像部１７０の画線１７１の面積率Alを背景部１６０の画線１６１の面積率Abで割った比の値R(=Al/Ab)が、1.11程度以上且つ1.33程度以下となっている。
【００６６】
さらに、本実施形態では、背景部１６０の画線１６１の面積率Ab、及び潜像部１７０の画線１７１の面積率Alを25.0%程度以下とし、商品券や金券、クーポン券などの印刷絵柄の見えに影響しないようにする。
【００６７】
詳細は後述するが、本実施形態では、このように潜像部１７０の画線１７１の面積率Alと背景部１６０の画線１６１の面積率Abの比の値R(=Al/Ab)を1.11程度以上且つ1.33程度以下とし、潜像部１７０の画線１７１の面積率Alを背景部１６０よりも若干高い値とすることにより、印刷物において背景部１６０と潜像部１７０の差をより判別しにくくできる。一方、その複写物１２２’では潜像部１７０を判別可能とすることができ、偽造防止効果を奏し、体裁も良い。さらに、背景部１６０と潜像部１７０を画線１６１、１７１で形成することで、製版もし易い。
【００６８】
また、本実施形態では、背景部１６０の画線１６１の面積率Ab、及び潜像部１７０の画線１７１の面積率Alを25.0%程度以下とし、商品券や金券などの印刷絵柄の見えに影響しないように背景部１６０や潜像部１７０を薄く設けることができる。より具体的には、後述するように例えば背景部１６０の画線１６１の面積率Abを11.4%程度以上且つ20.0%程度以下とし、潜像部１７０の画線１７１の面積率Alを14.3%程度以上且つ23.8%程度以下とすることで、印刷絵柄の見えに影響しないように背景部１６０や潜像部１７０を設け、且つ前記の効果を奏することができる。ただし、面積率Ab、Alの範囲はこれに限ることはなく、面積率Ab、Alが別の範囲であっても、面積率Alを面積率Abで割った比の値Rが1.11程度以上且つ1.33程度以下であれば、前記の効果を奏することができる。
【００６９】
さらに、本実施形態では、潜像部１７０の画線１７１を背景部１６０の画線１６１と平面において略直交させ、潜像部１７０の画線１７１の列１７２を背景部１６０の画線１６１の延長上に沿って形成することにより、印刷物において背景部１６０と潜像部１７０の差が判別しにくく、複写物１２２’において潜像部１７０が判別可能となるのに寄与する。しかしながら、画線１６１、１７１の配置等がこれに限られることもない。
【実施例】
【００７０】
次に、印刷物（ページ１２１を分割した部分１２２）における上記の偽造防止技術を検討した結果を実施例として具体的に説明する。ただし、本発明はこれに限定されるものではない。
【００７１】
[印刷物]
実施例として、前記した背景部１６０の画線１６１の太さW1と潜像部１７０の画線１７１の長さHを調整し、潜像部１７０の画線１７１の面積率Alを背景部１６０の画線１６１の面積率Abで割った比の値R(=Al/Ab)を1.11程度以上且つ1.33程度以下とした印刷物Ｃ、Ｈ、Ｉ、Ｎを作製した。
【００７２】
また、背景部１６０の画線１６１の面積率Ab、及び潜像部１７０の画線１７１の面積率Alはいずれの印刷物Ｃ、Ｈ、Ｉ、Ｎにおいても25.0%程度以下とした。具体的には、印刷物Ｃ、Ｈ、Ｉ、Ｎにおいて、背景部１６０の画線１６１の面積率Abは11.4%程度以上且つ20.0%程度以下とし、潜像部１７０の画線１７１の面積率Alは14.3%程度以上且つ23.8%程度以下とした。
【００７３】
また、参考例として、背景部１６０の画線１６１の太さW1と潜像部１７０の画線１７１の長さHを調整し、前記した比の値Rを1.11程度以上且つ1.33程度以下の範囲とは異ならせた印刷物Ａ、Ｂ、Ｄ、Ｅ、Ｆ、Ｇ、Ｊ、Ｋ、Ｌ、Ｍを作製した。
【００７４】
なお、背景部１６０の画線１６１の間隔D、潜像部１７０の画線１７１の太さW2、列１７２の間隔DH、及び列１７２における画線１７１の間隔DLは印刷物Ａ〜Ｎで共通とし、潜像部１７０としては「コピー」の文字を形成した。
【００７５】
以上の印刷物Ａ〜Ｎについて、背景部１６０の画線１６１の太さW1と間隔D、潜像部１７０の画線１７１の太さW2と長さH、列１７２の間隔DH、列１７２における画線１７１の間隔DL（以上、単位は全てmm）、潜像部１７０の画線１７１の面積率Al、背景部１６０の画線１６１の面積率Ab、及びその比の値R(=Al/Ab)を示したものが図９である。
【００７６】
ここでは、背景部１６０の画線１６１の太さW1を４段階(0.04、0.05、0.06、0.07mm)に変化させるとともに、潜像部１７０の画線１７１の長さHを４段階(0.10、0.15、0.20、0.25mm)に変化させて前記した比の値R(=Al/Ab)が異なる１４枚の印刷物Ａ〜Ｎを作製しており、図９では背景部１６０の画線１６１の太さW1と潜像部１７０の画線１７１の長さHごとに、対応する印刷物Ａ〜Ｎについて潜像部１７０の画線１７１の面積率Al、背景部１６０の画線１６１の面積率Ab、及びその比の値R(=Al/Ab)を示している。
【００７７】
背景部１６０の画線１６１の間隔D、潜像部１７０の画線１７１の太さW2、列１７２の間隔DH、及び列１７２における画線１７１の間隔DLは印刷物Ａ〜Ｎで同じであり、D=0.35mm、W2=0.05mm、DH=0.35mm、DL=0.15mmである。
【００７８】
［印刷物における背景部１６０と潜像部１７０の判別しにくさ］
図１０、１１、１２はそれぞれOCR用紙、コート紙、上質紙に印刷物Ｃ〜Ｎの印刷を行った例であり、横軸を背景部１６０の画線１６１の太さW1=0.04、0.05、0.06、0.07(mm)、縦軸を潜像部１７０の画線１７１の長さH=0.15、0.20、0.25(mm)として、対応する位置に印刷物Ｃ〜Ｎを示したものである。
【００７９】
本発明者がこれらの印刷物Ｃ〜Ｎを実際に目視したところ、前記したRの値が1.11程度以上且つ1.33程度以下の範囲となる印刷物Ｃ、Ｈ、Ｉ、Ｎの方が、Rの値が当該範囲以外の値となる印刷物Ｄ、Ｅ、Ｆ、Ｇ、Ｊ、Ｋ、Ｌ、Ｍよりも、潜像部１７０の「コピー」の文字が背景部１６０と判別しにくいという結果であった。なお、図１０〜１２では印刷物Ａ、Ｂについて図示を省略しているが、印刷物Ｄ、Ｅ、Ｆ、Ｇ、Ｊ、Ｋ、Ｌ、Ｍと同様の傾向であった。
【００８０】
このうち印刷物Ｄは背景部１６０の画線１６１の面積率Abと潜像部１７０の画線１７１の面積率Alが等しく、Rの値が1.00となるが、このような印刷物Ｄよりも、潜像部１７０の画線１７１の面積率Alが背景部１６０より若干高い印刷物Ｃ、Ｈ、Ｉ、Ｎの方が、潜像部１７０の「コピー」の文字をより判別しにくかった。
【００８１】
［複写物における潜像部１７０の判別可能性］
次に、各印刷物Ａ〜ＮについてOCR用紙にカラー複写を行い、複写物における潜像部１７０の判別可能性の検討を行った。複写には、富士ゼロックス株式会社製のApeosPort-VC7780、キヤノン株式会社製のiR ADV 5255及びiR ADV 7065の３種類の複写機を用いた。
【００８２】
図１３、１４、１５はそれぞれ、富士ゼロックス株式会社製のApeosPort-VC7780（複写機I）、キヤノン株式会社製のiR ADV 5255（複写機II）及びiR ADV 7065（複写機III）によって印刷物Ｃ〜Ｎの複写を行ったものであり、横軸を背景部１６０の画線１６１の太さW1=0.04、0.05、0.06、0.07(mm)、縦軸を潜像部１７０の画線１７１の長さH=0.15、0.20、0.25(mm)として、対応する位置に印刷物Ｃ〜Ｎの複写物を示したものである。
【００８３】
本発明者がこれらの印刷物Ｃ〜Ｎの複写物を実際に目視したところ、程度の差はあるものの、印刷物Ｃ、Ｈ、Ｉ、Ｎの複写物を含め、各複写物において潜像部１７０の「コピー」の文字を判別できた。なお、図１３〜１５では印刷物Ａ、Ｂの複写物について図示を省略しているが、「コピー」の文字は同様に判別できた。OCR用紙をコート紙や上質紙に代えた場合も同様の結果であった。
【００８４】
以上より、潜像部１７０の画線１７１の面積率Alを背景部１６０の画線１６１の面積率Abで割った比の値Rが1.11程度以上且つ1.33程度以下となる印刷物Ｃ、Ｈ、Ｉ、Ｎは、背景部１６０と潜像部１７０が一様に見えてより判別しにくく、且つその複写物では潜像部１７０が判別可能であり、偽造防止効果を奏し、体裁の良い好適な印刷物となることが確認できた。
【００８５】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００８６】
１０；冊子
２０；製造装置
１１、１２；ロール紙
１１０；通常ページ部
１１１、１２１；ページ
１２０；分割ページ部
１２２；部分
１２２’；複写物
１３０；綴じ部
１４０；ミシン目
１５０；切込み
１６０；背景部
１７０；潜像部
【図１】
0006707998.tif 000002
【図２】
0006707998.tif 000003
【図３】
0006707998.tif 000004
【図４】
0006707998.tif 000005
【図５】
0006707998.tif 000006
【図６】
0006707998.tif 000007
【図７】
0006707998.tif 000008
【図８】
0006707998.tif 000009
【図９】
0006707998.tif 000010
【図１０】
0006707998.tif 000011
【図１１】
0006707998.tif 000012
【図１２】
0006707998.tif 000013
【図１３】
0006707998.tif 000014
【図１４】
0006707998.tif 000015
【図１５】
0006707998.tif 000016